(57)【要約】      （修正有）【課題】エアコンの専用リモコンであって、室内温度が一定温度以上に上昇した時に、リモコン本体から自動的に信号を発射させてエアコンを冷房運転させる事で熱中症事故を軽減させるリモートコントローラーを提供する。【解決手段】エアコン用のリモコンであって、リモコン本体１の中に室内温度を感知させる目的とエアコンの稼動時の冷風温度を感知させる目的のために、温度センサー３′を１個以上使用した。室内温度が一定高温度に上昇した時に、リモコン本体から自動的に信号を発射してエアコンを稼動させる目的の為に原則的に常時エアコン機の付近にリモコンを固定して設置して使用する。【選択図】図１
0003229254.tif 000002
【実用新案登録請求の範囲】
【請求項１】
エアコン用のリモコンで有り、リモコン本体の中に室内温度を感知させる目的とエアコンの稼動時の冷風温度を感知させる目的のために、温度センサーを１個以上に使用した事を特徴とするリモートコントローラー。
【請求項２】
［請求項１］で有って、室内温度が一定高温度（設定温度変更可能）に上昇した時に、リモコン本体から自動的に信号を発射してエアコンを稼動させる目的の為に原則は常時エアコン機の付近に限定してリモコンを固定して設置して使用する事を特徴とするリモートコントローラー。
【請求項３】
［請求項１］と［請求項２］で有って、エアコンから排出される冷風温度の感知はリモコン本体内に組み込んだ冷風感知用温度センサーでも、エアコン排風口までを有線を以って配線し直接エアコンの冷風感知温度センサーでの検知の相方にも対応して、エアコン排風感知温度センサー用の有線はリモコン本体とはＣ型接点構成のジャック（座）と中経プラグで接続し又、リモコン単体でも中経プラグを外す事により従来の専用リモコンと同様に人間の手動操作にも対応する事を特徴とするリモートコントローラー。
【考案の詳細な説明】
【技術分野】
【０００１】本考案は、エアコンの設置が有る室内温度が一定温度以上の高室内温度に上昇した時に、自動的にエアコンの電源をＯＮさせる信号をマルチ式の学習リモコンから発射してエアコンを冷房稼動させる為の技術分野に関するものである。
又、リモコンには任意により高室内温度の感知設定温度が変更が可能で有ること。【０００２】エアコンの電源を自動的にＯＮさせる為の信号をマルチ式の学習リモコンから発射をさせる為に室内温度感知及びエアコン稼動時のエアコン排出の冷風感知の為のリモコン本体内に組み込み使用する温度センサーに係る対処方法（請求項１、請求項３）の技術分野に関するものである。【０００３】従来のエアコン用のリモコンは専用リモコン又はマルチ式学習リモコンで有ってもエアコンの稼動用電源をＯＮさせる為には、人間が直接にリモコンの電源ボタンを手動式操作をする以外に方法は無かったが、リモコン本体内に温度センサー（請求項１）を組み込む事で、リモコンから自動的にエアコンの電源をＯＮさせる信号が発射される事で、人手力が無用のマルチ式学習リモコンをエアコン機の付近に固定化して設置使用する（請求項２）の技術分野に関するものである。
【背景技術】
【０００４】従来はエアコンの設置場所の室内温度が、一定温度以上の高室内温度に上昇した時でも、例へ専用リモコンであっても、自動的にはリモコン単体では、エアコンを稼動ＯＮは出来ずに人間の手動式操作以外にエアコンを稼動させる事は不可能で有った。又、必要時にリモコンが行方不明で操作不可の時も有った。
【考案の概要】
【考案が解決しようとする課題】
【０００５】エアコンの設置して有る室内温度が一定温度以上の高室内温度に上昇をした時に、自動的にエアコンの電源をＯＮさせる為の信号をリモコンから発射させる為に、リモコン本体内に温度センサーを１個以上組み込む事で室内温度を感知（感知設定温度変更可能）させて、エアコンの電源を自動的にＯＮさせる目的の為に、リモコンを常時にエアコン付近に固定化して設置使用する事で室内に於いての年間健康室温により特に夏場の熱中症での人命事故の軽減が実現出来る事を課題とする。
【課題を解決する為の手段】
【０００６】（請求項１）（請求項２）（請求項３）記載の電子回路を組み込んだリモコンをエアコン設置場所の室内機付近に固定化し設置し動作させる事で課題を解決する。
【考案の効果】
【０００７】本リモコンをエアコンの設置場所の室内機付近に固定化して設置動作させる事で、室内温度はリモコンにより予め希望（設定）された温度までは低下をする事と、室内における熱中症による人命事故の軽減を実現する事が出来る。
又、リモコンを学習リモコン化すれば、既に設置済みの古い型式のエアコンも自動運転が可能で更に任意に於いても人間力によって従来の専用リモコンと同様に人力操作で本リモコンも操作が可能で、エアコン電源をＯＮ出来る。
【図面の簡単な説明】
【０００８】
【図１】  原考案品としての外観図
【図２】  使用設置概略図
【考案を実施するための形態】
【０００９】本考案の動作形態を図１、の外観図に基づいて、本考案に最低限に必要な電気部品と信号及びリモコンの各部品の動作、必要性を詳細に説明する。
【００１０】室内用温度センサー２、は温度に比例する電圧値を出力するセンサーである。
これを本考案のリモコン１、に組み込み室内温度を測定する。
エアコン冷風用の温度センサー３′、も温度に比例する電圧値を出力するセンサーである。
これも、本考案のリモコン１、に組み込みエアコンが排出する冷風温度を感知させる。
エアコンからの排風冷温度を直接、又は速やかに感知する為に、リモコン本体内に組み込んである冷風用の温度センサー３′、以外でも感知出来る様にリモコン本体の一部に中継用のＣ型接点で構成の中継用ジャック（座）４、を取り付ける。
そして、このリモコンをエアコンの室内機の付近に原則として常時固定して使用をする。
【００１１】本考案のリモコン１、をエアコンが設置してある付近に固定して設置する事で室内用温度センサー２、は室内温度が一定高温度（設定温度変更可能）以上に上昇した時に室内用温度センサー２、の出力電圧値に比例して動作するリモコン１、内に内蔵させて有る検出コンパレータ回路でリモコン１、の電源ボタンを通電させる事によって、リモコン１、から自動的にエアコンを稼動させる為の信号が発射される。
エアコンが稼動して冷風が排出され、原則的にはエアコンの排出冷風温度は、冷風感知用の温度センサー３″で感知して有線を以ってリモコン１、の本体内へ中経プラグ５、からＣ型接点で構成の中経用ジャック（座）４を経由し信号は伝達される。
そして検出された出力電圧値に比例して動作するリモコン１、の本体内に内蔵させて有る検出コンパレータ回路により、リモコン１、からエアコンに向って電源をＯＮさせる為の信号はロック（固定）される。又、リモコン１、は固定設置して使用が原則で有るが、中経プラグ５、を抜く事で従来の専用リモコンと同様に人間手動式にも対応する。
【００１２】室内の温度が一定温度以上に上昇したら室内用温度センサー２、により高室内温度が検知され内蔵されて居るコンパレータ回路により、リモコン１、の電源ボタンが通電されて、リモコン１、の本体からエアコンに向って電源ＯＮの信号が発射される。
エアコンが正常に稼動したらエアコン排風口から冷風が排出されて冷風が排出された事を、エアコン冷風感知の温度センサー３″、で感知し、その出力は有線を以ってリモコン１、の本体へ中経プラグ５、から、Ｃ型接点で構成の中経用ジャック（座）４、を経由し、リモコン１、の本体内に伝達される。冷風が感知（検出）された事により、検出信号は内蔵されているコンパレータ回路により、リモコン１、からエアコンに向って電源をＯＮさせる為の信号が発射される事を中止して電気回路をロック（保持）させる。
仮に、リモコン１、の本体からエアコンの冷風感知の温度センサー３″の大元で有る中経プラグ５、が中経用ジャック（座）から抜けて居た場合には、元々が中経用ジャック（座）４、の部分の接点がＣ型接点を構成して居る為に電気回路は分断される事は無くて、その時はリモコン１、の本体内に有る冷風感知の温度センサー３′を以ってエアコンからの冷風温度を感知させる。その為に中継用ジャック（座）４、はＣ型接点構成を使用する。
但し、エアコンの冷風温度の確認（感知）にリモコン１、の本体内の温度センサー３′、での冷風を感知する為には、弱感だけ、少し時間を要するがエアコンが稼動して冷風が排出をされて居る限りは、リモコン１、は正常にエアコンの電源ＯＮで稼動冷風を確認する。
原則的には、リモコン１、はエアコン機の設置付近に固定して自動的にリモコン１、から信号を発射してエアコンを稼動させる事が基本だが、リモコン１、の本体から人間がプラグ５、を抜き、リモコン１、を単体で従来よりの専用リモコンと同様に人間の手動による手動式操作にも対応が可能である。
【００１３】温度センサー２、により高室内温度が検知されてリモコン１、からエアコンに向ってエアコンの電源ＯＮの信号を発射しても、エアコンからの冷風温度が冷風感知用の温度センサー３′、及び３″でも検知が出来ない時は、リモコン１、の本体からは、くり返し一定間隔の時間（リモコン内にプログラムセット）を以ってエアコンに信号が発射される。
それでも、一定の時間（リモコン内にプログラムセット）を経過しても、エアコンからの冷排風温度が温度センサー３′及び３″でも感知が出来なかった時には室内に於いての何かの事故（トラブル）と、リモコン１、が認知して周囲に対して警報ブザー７、（内蔵）を鳴らし、同時に非常で有る事を警報表示ＬＥＤ６、も点滅させ周囲に異常を知らせる。
【００１４】リセットスイッチ８、は警報表示６、及び警報ブザー７の作動状態を解除して本リモコン１、を初期状態にもどす。
【００１５】元々、付属しているエアコンの専用リモコンも併用使用が従来通り可能である。
【００１６】当考案のリモコンは、基本的には夏場の熱中症に対する人命事故を軽減させる事を目標の第一課題として開発したが、当考案のリモコンは、中身の電気回路の部品と、一部プログラムの電気的な定数を変化させて一体化すれば冬場の暖房化へも簡単に対応する事で体力の弱い老人を含めて健康で最適な健康室温が一年間を通して常時に得られて効果は非常に大で有る。
【実施例】
【００１７】図２の設置概略図に示すようにエアコンの室内機付近に設置し、かつ、本考案のリモコン１、の発射する赤外線信号がエアコン室内機に届く範囲、及び直射日光が室内温度センサー２、エアコン排出冷風感知用の温度センサー３′及び３″に当らない場所。
【産業上の利用可能性】
【００１８】ホテルの部屋、オフィス、保育園、老人介護施設、その他、一定高温度以上に室温を上昇させたく無いエアコンの設置がされて居る空間。
（又）当考案リモコンは冬場（暖房）にも夏・冬（一年間）通しても利用が可能である。
【符号の説明】
【００１９】１、    リモコン本体
２、    室内用温度センサー
３′、  リモコン内冷風用温度センサー
３″、  エアコン排出口温度センサー
４、    中経用ジヤック（座）
５、    中経プラグ
６、    警報表示
７、    警報ブザー
８、    リセットスイッチ
【図１】
0003229254.tif 000003
【図２】
0003229254.tif 000004
【手続補正書】
【提出日】令和2年8月19日(2020.8.19)
【手続補正１】
【補正対象書類名】実用新案登録請求の範囲
【補正対象項目名】全文
【補正方法】変更
【補正の内容】
【実用新案登録請求の範囲】
【請求項１】
エアコン用のリモコンで有り、リモコン本体の中に室内温度を感知させる目的とエアコンの稼働時の冷風温度を感知させる目的のために、温度センサーを１個以上に使用した事を特徴とするリモートコントローラー。
【請求項２】
［請求項１に記載されたリモートコントローラーであって］室内温度が一定高温度（設定温度変更可能）に上昇した時に、リモコン本体から自動的に信号を発射してエアコンを稼働させる目的の為に原則は常時エアコン機の付近に限定してリモコンを固定して設置して使用する事を特徴とするリモートコントローラー。
【請求項３】
［請求項１または２に記載されたリモートコントローラーであって］エアコンから排出される冷風温度の感知はリモコン本体内に組み込んだ冷風感知用温度センサーでもエアコン排風口までを有線を以って配線し直接エアコンの冷風感知温度センサーでの検知の相方にも対応してエアコン排風感知温度センサー用の有線はリモコン本体とはＣ型接点構成のジャック（座）と接続プラグで接続し、又リモコン単体でも中継プラグを外す事により従来の専用リモコンと同様に人間の手動操作にも対応する事を特徴とするリモートコントローラー。